(57)【特許請求の範囲】
【請求項１】
内部溶液と、前記内部溶液を収容する内部溶液収容部と、前記内部溶液内に設けられた検体流路と、前記内部溶液内に設けられた電極部材と、前記内部溶液と前記検体流路との間に設けられたイオン感応膜と、を備えたイオン選択性電極において、
前記イオン感応膜と前記内部溶液収容部の底部との間には前記内部溶液が備えられ、
前記内部溶液収納部に、前記内部溶液を充填するための内部溶液充填口と前記内部溶液を密封するための内部溶液封止穴と、を備え、
前記内部溶液充填口と前記内部溶液封止穴をとおる断面において、前記イオン感応膜は、前記内部溶液充填口と前記内部溶液封止穴との間の領域に設けられ、
前記内部溶液充填口から前記内部溶液収容部に前記内部溶液を充填するとき、前記内部溶液の流動方向の下流側に進むに従い、前記内部溶液収容部の底部の水平面との距離が連続的に大きくなるよう、前記イオン感応膜が傾斜して配置されることを特徴とするイオン選択性電極。
【請求項２】
請求項１記載のイオン選択性電極において、
前記内部溶液充填口と前記内部溶液封止穴をとおる断面において、前記検体流路を中心として、前記内部溶液充填口側の前記距離が最も短く、前記内部溶液封止穴側の前記距離が最も長いよう、前記イオン感応膜が配置されていることを特徴とするイオン選択性電極。
【請求項３】
請求項１又は２に記載のイオン選択性電極において、
前記底部の水平面に対して、前記検体流路は傾斜して形成されていることを特徴とするイオン選択性電極。
【請求項４】
内部溶液と、前記内部溶液を収容する内部溶液収容部と、前記内部溶液内に設けられた検体流路と、前記内部溶液内に設けられた電極部材と、前記内部溶液と前記検体流路との間に設けられたイオン感応膜と、を備えたイオン選択性電極において、
前記内部溶液収容部に前記内部溶液を充填するとき、前記内部溶液の流動方向の下流側に進むに従い、前記内部溶液収容部の底部の水平面との距離が連続的に大きくなるよう、前記イオン感応膜が傾斜して配置され、
前記底部の水平面に対して、前記検体流路は傾斜して形成されていることを特徴とするイオン選択性電極。
【請求項５】
請求項１〜４のいずれかに記載のイオン選択性電極において、
前記イオン感応膜の傾斜角度は、前記水平面に対して４５°〜６０°であることを特徴とするイオン選択性電極。
【請求項６】
請求項３又は４に記載のイオン選択性電極において、
前記検体流路の傾斜角度は、前記水平面に対して４５°〜６０°であることを特徴とするイオン選択性電極。
【請求項７】
内部溶液と、前記内部溶液を収容する内部溶液収容部と、前記内部溶液内に設けられた検体流路と、前記内部溶液内に設けられた電極部材と、前記内部溶液と前記検体流路との間に設けられたイオン感応膜と、を備えたイオン選択電極において、
前記イオン感応膜と前記内部溶液収容部の底部との間には前記内部溶液が備えられ、
前記内部溶液収納部に、前記内部溶液を充填するための内部溶液充填口と前記内部溶液を密封するための内部溶液封止穴と、を備え、
前記内部溶液充填口と前記内部溶液封止穴をとおる断面において、前記イオン感応膜は、前記内部溶液充填口と前記内部溶液封止穴との間の領域に設けられ、
前記イオン感応膜は、前記検体流路を覆う円筒形状である、もしくは、前記検体流路を覆う円筒形状の一部として配置されていることを特徴とするイオン選択性電極。
【請求項８】
請求項７記載のイオン選択性電極において、
前記内部溶液収容部の底部の水平面に対して、前記検体流路は傾斜して形成されていることを特徴とするイオン選択性電極。
【請求項９】
内部溶液と、前記内部溶液を収容する内部溶液収容部と、前記内部溶液内に設けられた検体流路と、前記内部溶液内に設けられた電極部材と、前記内部溶液と前記検体流路との間に設けられたイオン感応膜と、を備えたイオン選択電極において、
前記イオン感応膜は、前記検体流路を覆う円筒形状である、もしくは、前記検体流路を覆う円筒形状の一部として配置され、
前記内部溶液収容部の底部の水平面に対して、前記検体流路は傾斜して形成されていることを特徴とするイオン選択性電極。
【請求項１０】
請求項１〜９のいずれかに記載のイオン選択性電極を備えた分析装置。
【請求項１１】
請求項３、４、６、８、９のいずれかに記載のイオン選択性電極を備えた分析装置において、
前記検体流路を流れる検体が重力に逆らう方向に流れるよう、前記イオン選択性電極が配置されることを特徴とする分析装置。
【請求項１２】
請求項１１記載の分析装置において、
前記イオン選択性電極は、複数個配置され、前記検体流路が略直線状になるよう、略階段状に配置されることを特徴とする分析装置。
【発明の詳細な説明】
【技術分野】
【０００１】
本発明は、イオン選択性電極及びイオン選択性電極を備えた分析装置に関する。イオン選択性電極を備えた分析装置としては、臨床分析装置、水質分析装置、土壌分析装置、食品分析装置等に関する。
【背景技術】
【０００２】
イオン選択性電極はリファレンス電極とともに用いられ、検体中の特定のイオン濃度を測定するものであり、分析装置（臨床分析装置、水質分析装置、土壌分析装置、食品分析装置等）に搭載されて用いられる。
【０００３】
イオン選択性電極は一般的には、電極ボディ、内部溶液、イオン感応膜、内部電極より構成される。イオン選択性電極の電極ボディには、内部溶液が満たされている。フロー型のイオン選択性電極の電極ボディには検体流路があり、検体流路の側面の一部には穴が設けられている。穴はイオン感応膜により覆われており、検体流路内の検体と内部溶液はイオン感応膜を介して電気的導通を有する。この際に発生する起電力とリファレンス電極の電位差によりイオン濃度を測定する。イオン選択性電極に関連するものとして、例えば、特許文献１がある。
【先行技術文献】
【特許文献】
【０００４】
【特許文献１】特開２０００−３２９７２８号公報
【発明の概要】
【発明が解決しようとする課題】
【０００５】
イオン選択性電極は検体からイオン感応膜を介して内部溶液にイオンが移動した際に発生する起電力とリファレンス電極の電位差から、検体中のイオン濃度を測定する電極である。イオン感応膜はイオンを検体から取り込み、内部溶液に移動させる役割を担っている。そのイオン感応膜は一般的に感度が高く、寿命が長く、応答性に優れた高分子支持膜が用いられている。しかし、イオン感応膜の内部溶液側の表面に気泡が付着しているとイオンの取り込みと移動を妨げるため、分析精度や安定性の低下を引き起こす。
【０００６】
イオン選択性電極の製造工程でイオン選択性電極の電極ボディ内部に、注入ノズルを挿入して内部溶液を充填する際、後述の図４に示すように、イオン感応膜が上側に凸形状であるため、内部溶液側の気泡の移動が妨げられてイオン感応膜付近に気泡が付着することがある。この気泡の付着を抑制するために、イオン選択性電極に内部溶液を充填する際は、イオン選択性電極を僅かに傾斜させている。しかし、イオン選択性電極の傾斜角度を大きくすると、内部溶液注入ノズルが電極ボディと干渉するため内部溶液注入ノズルが挿入できなくなる。また、電極ボディから内部溶液が漏れるため、内部溶液の充填量が少なくなるので、傾斜角度には制約がある。これらの方法による気泡の抑制は限界があった。そのため内部溶液が充填された電極ボディを遠心脱泡することにより、イオン感応膜に付着した気泡を除去している。
【０００７】
また、分析中に検体や洗浄液を検体流路内に流す際、イオン感応膜の検体流路側に付着する気泡も同様に分析精度や安定性の低下を引き起こす場合がある。しかし、検体流路側に関して構造的な気泡除去対策をとることは困難である。
【０００８】
本発明の目的は、イオン感応膜に気泡が付着することを抑制できるため、生産性に優れ、なおかつ分析精度が優れたイオン選択性電極を提供することにある。また、分析精度が優れたイオン選択性電極を備えた分析装置を提供することにある。
【課題を解決するための手段】
【０００９】
本願の代表的な課題を解決するための手段は下記のとおりである。  
本願発明は、内部溶液と、前記内部溶液を収容する内部溶液収容部と、前記内部溶液内に設けられた検体流路と、前記内部溶液内に設けられた電極部材と、前記内部溶液と前記検体流路との間に設けられたイオン感応膜と、を備えたイオン選択性電極において、内部溶液収容部に内部溶液を充填するとき、内部溶液の流動方向の下流側に進むに従い、内部溶液収容部の底部の水平面との距離が連続的に大きくなるよう、イオン感応膜が傾斜して配置されるイオン選択性電極である。
【００１０】
また、本願発明は、内部溶液と、内部溶液を収容する内部溶液収容部と、内部溶液内に設けられた検体流路と、内部溶液内に設けられた電極部材と、内部溶液と検体流路との間に設けられたイオン感応膜と、を備えたイオン選択電極において、イオン感応膜は、検体流路を覆う円筒形状である、もしくは、検体流路を覆う円筒形状の一部として配置されているイオン選択性電極である。
【００１１】
さらに、これらのイオン選択電極を備えた臨床分析装置、水質分析装置、土壌分析装置、もしくは食品分析装置である。
【発明の効果】
【００１２】
本出願において開示される発明のうち、代表的なものによって得られる効果を簡単に説明すれば以下の通りである。イオン感応膜に気泡が付着することを抑制できるので、生産性が向上するとともに、分析精度が優れたイオン選択性電極を提供することができる。また、分析精度が優れたイオン選択性電極を備えた分析装置（臨床分析装置、水質分析装置、土壌分析装置、食品分析装置等）を提供することができる。
【図面の簡単な説明】
【００１３】
【図１】本発明の第１の実施形態であるイオン選択性電極を説明する断面図である。
【図２】分析装置の装置概略を説明する図である。
【図３】本発明の第１の実施形態であるイオン選択性電極を説明する分解図である。
【図４】従来のイオン選択性電極と本発明の第１の実施形態であるイオン選択性電極における気泡の付着状態を比較する説明図である。
【図５】イオン感応膜に付着する気泡が引き起こす分析精度低下を説明する図である。
【図６】本発明の第２の実施形態であるイオン選択性電極を説明する断面図である。
【図７】本発明の第２の実施形態であるイオン選択性電極を説明する分解図である。
【図８】本発明の第２の実施形態であるイオン選択性電極を複数個接続した状態を説明する断面図である。
【図９】本発明の第３の実施形態であるイオン選択性電極を説明する断面図である。
【図１０】本発明の第３の実施形態であるイオン選択性電極を説明する分解図である。
【図１１】本発明の第３の実施形態であるイオン選択性電極におけるイオン感応膜の作製法を説明する図である。
【図１２】本発明の第４の実施形態であるイオン選択性電極を説明する断面図である。
【図１３】本発明の第４の実施形態であるイオン選択性電極を説明する分解図である。
【図１４】本発明の第４の実施形態であるイオン選択性電極におけるイオン感応膜の作製法を説明する図である。
【発明を実施するための形態】
【００１４】
（第１の実施形態）
本実施形態にかかるイオン選択性電極２８を備える分析装置の全体構成を図２に示す。本実施形態にかかる分析装置は、臨床分析装置の例であり、サンプル容器１、コンピュータ３、インターフェイス４、サンプルの分注プローブ５、反応容器６、反応ディスク９、試薬の分注プローブ１０、試薬用ポンプ１１、試薬容器１２、攪拌機１３、光源１４、光度計１５、ＡＤ変換器１６、プリンタ１７、ＣＲＴ１８、洗浄機構１９、洗浄用ポンプ２０、キーボード２１、メモリ２２、試薬ディスク２５、容器種別検出装置５０、液面検出装置５１で構成される。測定は希釈槽３０にサンプル用ポンプ７にて試薬を、分注プローブ２７で試料を注入し吸引用ポンプ２６でイオン選択性電極２８へ測定試料を流し、発生した電位はＡＤ変換器２９にて信号処理が行われる。イオン選択性電極２８としてはＣｌ用のイオン選択性電極２８、Ｎａ用のイオン選択性電極２８及びＫ用のイオン選択性電極２８及びそれらの電極との電位差を比較するための基準となるリファレンス電極が備えられている。
【００１５】
イオン選択性電極２８について詳細に説明する。図１と図３は本実施形態のイオン選択性電極を示し、図１が断面図、図３が立体図である。図１においては、さらにＡ−Ａ断面を示している。図３においては、分かり易くするために構成部品を分解して描いたものであるが、内部溶液１０４は図示していない。
【００１６】
イオン選択性電極２８は、電極ボディ（内部溶液収容部）１０１、電極ボディ板（内部溶液収容部の底部）１０３、電極ボディピン１０６、内部溶液１０４、イオン感応膜１０２、内部電極１０５より構成される。検体流路１０７が形成された電極ボディ１０１には、内部溶液１０４が満たされ、検体流路１０７の側面の一部には穴が設けられている。穴はイオン感応膜１０２により覆われており、検体１１８と内部溶液１０４とはイオン感応膜１０２を介して電気的導通を有する。この際に発生する起電力とリファレンス電極の電位差によりイオン濃度を測定する。
【００１７】
本発明のイオン選択性電極２８の製造方法について説明する。電極ボディ１０１、電極ボディ板１０３、電極ボディピン１０６はポリ塩化ビニルの材料から成る。濃度分析を行う測定対象イオン１１９（図５参照）に応じてイオン感応膜１０２の材料を選定した後、イオン感応膜１０２の作製を行う。内部溶液１０４は塩化ナトリウム等の塩化物液を用いて調製する。内部電極１０５の材料はＡｇをＡｇＣｌメッキした物である。
【００１８】
初めに、電極ボディ１０１とイオン感応膜１０２を接着剤により接着する。接着剤が硬化した後に電極ボディ１０１と電極ボディ板１０３を接着剤により接着する。次に電極ボディ１０１の内部溶液充填口１０９（図４参照）に内部溶液注入ノズルを挿入し、内部溶液１０４を充填する。内部溶液１０４充填後、内部溶液充填口１０９に内部電極１０５を挿入し、電極ボディ１０１と内部電極１０５を接着する。内部溶液封止穴１１０（図４参照）に電極ボディピン１０６を挿入後、接着する。内部溶液封止穴１１０は内部溶液１０４を充填するとき、電極ボディ１０１内部の空気を抜くために設けたものであり、内部溶液１０４を充填した後は内部溶液１０４が漏れないようにするために、電極ボディピン１０６で封止する。
【００１９】
本発明のイオン選択性電極２８の効果について説明する。図４は、イオン感応膜１０２における気泡１０８の付着状態を示したもので、図４（ａ）が従来のイオン選択性電極２８、図４（ｂ）が本実施形態のイオン選択性電極２８を表す。また、図５は、分析精度の低下を引き起こす要因となるイオン感応膜１０２表面に気泡１０８が付着した状態を示したものである。図５（ａ）は従来のイオン選択性電極２８の場合、図５（ｂ）は本実施形態のイオン選択性電極２８の場合を表す。
【００２０】
従来のイオン選択性電極２８は図４（ａ）のように内部溶液流動方向１１１に対して、イオン感応膜１０２が上側に凸形状であるため、気泡１０８の移動が妨げられてイオン感応膜１０２付近に気泡１０８が付着する。それらの気泡１０８は図５（ａ）のように、検体１１８からイオン感応膜１０２中のイオン感応物質１２０を介して内部溶液１０４に移動する測定対象イオン１１９の取り込みと移動を妨げるため、分析精度が低下する。これに対し、本発明の図４（ｂ）のイオン選択性電極２８は内部溶液流動方向１１１に対して、イオン感応膜１０２付近で発生した気泡１０８は上昇する方向に傾斜を設けるとともにイオン感応膜１０２を平坦にしているため、気泡１０８が気泡移動方向１１２に移動し易くなるので気泡１０８が付着することを抑制できる。この結果、図５（ｂ）のように検体１１８中の測定対象イオン１１９はイオン感応膜１０２中のイオン感応物質１２０を介して内部溶液１０４に移動することが可能になる。従って、本実施形態のイオン選択性電極２８では分析精度が向上する。
【００２１】
言い換えれば、電極ボディ１０１に内部溶液１０４を充填するとき、内部溶液１０４の流動方向の下流側に進むに従い、電極ボディ板（内部溶液収容部の底部）１０３の水平面との距離が連続的に大きくなるよう、イオン感応膜１０２が傾斜して配置されている。下流側に進むに従い、水平面との距離を連続的に大きくしているのは、内部溶液１０４の水位上昇の力により、気泡１０８をイオン感応膜１０２に付着するのを抑制する効果がある。また、仮に気泡１０８が付着したとしても、気泡移動方向１１２に移動し易くする効果がある。
【００２２】
また、イオン感応膜１０２の傾斜角度１１３が大きい場合には、イオン感応膜１０２付近の気泡１０８は確実に逃げることにより、従来の遠心脱泡による気泡１０８除去は不要となるので、さらに生産性が向上する。
【００２３】
なお、本実施形態では内部溶液１０４を収容する容器部の断面構造が、凹型のイオン選択性電極２８のみ示しているが、内部溶液１０４の容器部が直方体で構成されている等、他の型のイオン選択性電極２８に本実施形態を適用しても構わない。但し、本実施形態のように、内部溶液を充填するための内部溶液充填口１０９と内部溶液を密封するための内部溶液封止穴１１０とを備え、イオン感応膜１０２を、内部溶液充填口１０９と内部溶液封止穴１１０との間の領域に設けることで、内部溶液１０４の流入方向と気泡１０８の移動方向とを略一致させることができ、気泡１０８の付着を効率的に抑制することができる。
【００２４】
また、内部溶液充填口１０９と前記内部溶液封止穴１１０をとおる断面において、検体流路を中心として、前記内部溶液充填口側の前記距離が最も短く、内部溶液封止穴側の前記距離が最も長いよう、前記イオン感応膜が配置することで、気泡１０８の付着をより効率的に抑制することができる。
【００２５】
内部溶液１０４はゲル液等の粘性の高い液体を用いても構わない。また、イオン感応膜１０２の材料は高分子支持膜に限らず、イオン濃度分析に適用することができるガラス膜や固体膜等を使用しても構わない。内部溶液充填口１０９に電極ボディピン１０６、内部溶液封止穴１１０に電極ボディピン１０６を挿入し接着しても構わない。また、接着を要する製作方法は超音波溶着等の他の接合方法を用いても構わない。さらに電極ボディ１０１の材料はポリ塩化ビニルに限らず、アクリル等の高分子材料で内部溶液１０４、イオン感応膜１０２、内部電極１０５に影響を与えて分析精度の低下を引き起こす材料でなければ構わない。イオン感応膜１０２の傾斜の角度は５°〜８９°で効果が見られ、４５°〜８９°ではその効果が顕著である。しかし、イオン感応膜の傾斜角度１１３が大きいほど、イオン選択性電極２８のサイズが大きくなるため、分析装置に搭載できるイオン選択性電極２８のサイズや製造コストを考慮すると、イオン感応膜の傾斜角度１１３は４５°〜６０°であることが望ましい。
【００２６】
（第２の実施形態）
本発明の第２の実施形態について説明する。図６と図７は本実施形態のイオン選択性電極２８を示し、図６が断面図、図７が立体図である。図６においては、さらにＡ−Ａ断面を示している。図７においては、分かり易くするために構成部品を分解して描いたものであるが、内部溶液１０４は図示していない。本実施形態のイオン選択性電極２８を、第１の実施形態と比較すると、検体流動方向１１５（図８参照）に傾斜を設けている点が異なっている。
【００２７】
本発明のイオン選択性電極２８の製造方法について説明する。初めに、電極ボディ１０１とイオン感応膜１０２を接着剤により接着する。接着剤が硬化した後に電極ボディ１０１と電極ボディ板１０３を接着剤により接着する。次に電極ボディ１０１の内部溶液充填口１０９に内部溶液注入ノズルを挿入し、内部溶液１０４を充填する。内部溶液１０４充填後、内部溶液充填口１０９に内部電極１０５を挿入し、電極ボディ１０１と内部電極１０５を接着する。内部溶液封止穴１１０に電極ボディピン１０６を挿入後、接着する。内部溶液封止穴１１０は内部溶液１０４を充填するとき、電極ボディ１０１内部の空気を抜くために設けたものであり、内部溶液１０４を充填した後は内部溶液１０４が漏れないようにするために、電極ボディピン１０６で封止する。
【００２８】
本発明のイオン選択性電極２８の効果について説明する。イオン感応膜１０２の内部溶液１０４側の気泡１０８は第１の実施形態と同様に気泡１０８の移動がし易くなる。さらに検体流路１０７に検体流路傾斜角度１１４を設けることにより、イオン感応膜１０２の検体１１８側の気泡１０８も移動し易くなる。そのため第１の実施形態よりさらに分析精度や安定性が向上する。
【００２９】
言い換えれば、検体流路１０７は、電極ボディ板（内部溶液収容部の底部）１０３の水平面に対して、検体流路傾斜角度１１４の分だけ傾斜して形成されている。
【００３０】
本発明のイオン選択性電極２８を分析装置にて複数個を接続して使用する際は、隣接するイオン選択性電極２８に形成されている検体流路１０７が略直線状になるよう、イオン選択性電極２８は図８のように略階段状に配置される。隣接するイオン選択性電極２８の検体流路１０７どうしが容易に接続されるようにするためイオン選択性電極２８の検体流路１０７の接続口に凸凹形状を設けても構わない。また、検体流路を流れる検体が重力に逆らう方向に流れるよう、イオン選択性電極が分析装置に配置されることが望ましい。検体の水位上昇の力により、気泡１０８をイオン感応膜１０２に付着するのを抑制する効果があるためである。
【００３１】
検体流路傾斜角度１１４は５°〜８９°で効果が見られ、４５°〜８９°ではその効果が顕著である。しかし、汎用性等を考慮すると検体流路傾斜角度１１４は４５°〜６０°であることが望ましい。
【００３２】
なお、内部溶液１０４を収容する容器部の断面構造、内部溶液１０４、イオン感応膜１０２の傾斜角度などについては、第１の実施形態の説明と同じであるため説明は省略する。
【００３３】
（第３の実施形態）
本発明の第３の実施形態について説明する。図９と図１０は本実施形態のイオン選択性電極２８を示し、図９が断面図、図１０が立体図である。図９においては、さらにＡ−Ａ断面図を示している。図１０においては、分かり易くするために構成部品を分解して描いたものであるが、内部溶液１０４は図示していない。本実施形態のイオン選択性電極２８を、第１の実施形態と比較すると、検体１１８の流路が円筒状のイオン感応膜１０２で作製され、イオン感応膜１０２が検体流路１０７を覆う円筒形状である点で異なっている。
【００３４】
本発明のイオン選択性電極２８の製造方法について説明する。図１１に示すように、測定対象イオン１１９に応じてイオン感応膜１０２の材料を選定した後、平面状のイオン感応膜１０２を作製する。そのイオン感応膜１０２を膜成形部材１１６に巻き付け、円筒状になるよう接着端部１１７を接着剤により接着する。接着剤固化後に膜成形部材１１６をイオン感応膜１０２から取り外して成形する。次に、電極ボディ１０１とイオン感応膜１０２を接着剤により接着する。接着剤が硬化した後に電極ボディ１０１と電極ボディ板１０３を接着剤により接着する。次に電極ボディ１０１の内部溶液充填口１０９に内部溶液注入ノズルを挿入し、内部溶液１０４を充填する。内部溶液１０４充填後、内部溶液充填口１０９に内部電極１０５を挿入し、電極ボディ１０１と内部電極１０５を接着する。内部溶液封止穴１１０に電極ボディピン１０６を挿入後、接着する。内部溶液封止穴１１０は内部溶液１０４を充填するとき、電極ボディ１０１内部の空気を抜くために設けたものであり、内部溶液１０４を充填した後は内部溶液１０４が漏れないようにするために、電極ボディピン１０６で封止する。
【００３５】
本実施形態によれば、第１の実施形態とほぼ同様な効果が得られる。さらに流路内が第１の実施形態より平坦なため、イオン感応膜１０２の検体１１８側の気泡１０８も移動し易くなる。そのため第１の実施形態よりさらに分析精度や安定性が向上する。
【００３６】
また、第２の実施形態のように、検体流路傾斜角度１１４を設けてもよい。また、イオン選択性電極２８を検体流路を流れる検体が重力に逆らう方向に流れるように配置したり、複数個のイオン選択性電極２８を検体流路が略直線状になるよう、略階段状に配置しても良い。
【００３７】
なお、内部溶液１０４を収容する容器部の断面構造、内部溶液１０４などについては、第１の実施形態の説明と同じであるため説明は省略する。
【００３８】
（第４の実施形態）
図１２により、本発明の第４の実施形態を説明する。本実施形態のイオン選択性電極２８を、第１の実施形態と比較すると、検体１１８の流路が電極ボディ１０１とイオン感応膜１０２の材料で筒状に製作され、検体流路１０７を覆う円筒形状の一部としてイオン感応膜１０２が配置されている点で異なっている。
【００３９】
本発明のイオン選択性電極２８について説明する。図１２と図１３は本実施形態のイオン選択性電極２８を示し、図１２が断面図、図１３が立体図である。図１２においては、Ａ−Ａ断面図を示している。図１３においては、分かり易くするために構成部品を分解して描いたものである。
【００４０】
本発明のイオン選択性電極２８の製造方法について説明する。図１４に示すように、膜成形部材１１６を検体１１８の流路に挿入し、液体のイオン感応部材を塗布し固化させることによりイオン感応膜１０２を形成する。イオン感応膜１０２は、測定対象イオン１１９に合わせた材料を選定する。固化した後に、膜成形部材１１６を取り外して形成する。次に、電極ボディ１０１とイオン感応膜を接着剤により接着する。接着剤が硬化した後に電極ボディ１０１と電極ボディ板１０３を接着剤により接着する。次に電極ボディ１０１の内部溶液充填口１０９に内部溶液注入ノズルを挿入し、内部溶液１０４を充填する。内部溶液１０４充填後、内部溶液充填口１０９に内部電極１０５を挿入し、電極ボディ１０１と内部電極１０５を接着する。内部溶液封止穴１１０に電極ボディピン１０６を挿入後、接着する。内部溶液封止穴１１０は内部溶液１０４を充填するとき、電極ボディ１０１内部の空気を抜くために設けたものであり、内部溶液１０４を充填した後は内部溶液１０４が漏れないようにするために、電極ボディピン１０６で封止する。
【００４１】
本実施形態によれば、第１の実施形態とほぼ同様な効果が得られる。さらに流路内が第１の実施形態より平坦なため、イオン感応膜１０２の検体１１８側の気泡１０８も移動し易くなる。そのため第１の実施形態よりさらに分析精度や安定性が向上する。
【００４２】
また、第２の実施形態のように、検体流路傾斜角度１１４を設けてもよい。また、イオン選択性電極２８を検体流路を流れる検体が重力に逆らう方向に流れるように配置したり、複数個のイオン選択性電極２８を検体流路が略直線状になるよう、略階段状に配置しても良い。
【００４３】
なお、内部溶液１０４を収容する容器部の断面構造、内部溶液１０４などについては、第１の実施形態の説明と同じであるため説明は省略する。
【符号の説明】
【００４４】
１  サンプル容器
３  コンピュータ
４  インターフェイス
５、１０、２７  分注プローブ
６  反応容器
７  サンプル用ポンプ
９  反応ディスク
１１  試薬用ポンプ
１２  試薬容器
１３  攪拌機
１４  光源
１５  光度計
１６、２９  ＡＤ変換器
１７  プリンタ
１８  ＣＲＴ
１９  洗浄機構
２０  洗浄用ポンプ
２１  キーボード
２２  メモリ
２５  試薬ディスク
２６  吸引用ポンプ
２８  イオン選択性電極
３０  希釈槽
５０  容器種別検出装置
５１  液面検出装置
１０１  電極ボディ（内部溶液収容部）
１０２  イオン感応膜
１０３  電極ボディ板（内部溶液収容部の底部）
１０４  内部溶液
１０５  内部電極
１０６  電極ボディピン
１０７  検体流路
１０８  気泡
１０９  内部溶液充填口
１１０  内部溶液封止穴
１１１  内部溶液流動方向
１１２  気泡移動方向
１１３  イオン感応膜の傾斜角度
１１４  検体流路傾斜角度
１１５  検体流動方向
１１６  膜成形部材
１１７  接着端部
１１８  検体
１１９  測定対象イオン
１２０  イオン感応物質
【図１】
0005975744.tif 000002
【図２】
0005975744.tif 000003
【図３】
0005975744.tif 000004
【図４】
0005975744.tif 000005
【図５】
0005975744.tif 000006
【図６】
0005975744.tif 000007
【図７】
0005975744.tif 000008
【図８】
0005975744.tif 000009
【図９】
0005975744.tif 000010
【図１０】
0005975744.tif 000011
【図１１】
0005975744.tif 000012
【図１２】
0005975744.tif 000013
【図１３】
0005975744.tif 000014
【図１４】
0005975744.tif 000015